(57)【要約】【課題】各種の外部装置を接続して多用途の通信システムを構築することのできる携帯電話及びその携帯電話を制御端末とした通信システムを提供すること。【解決手段】携帯電話本体に、データの送受信を目的とする接続端子として複数の接続端子を備える。前記接続端子によって接続される外部装置には、読み取り装置、記憶装置、印刷手段等が含まれる。前記携帯電話を制御端末として、読み取り装置からの識別子情報に基づいて記憶装置に備えた関連情報を出力したり、前記携帯電話で受信したＦＡＸを一時保存して印刷手段に出力することが可能となる。【選択図】図１
2008219762.tif 000002
【特許請求の範囲】
【請求項１】
携帯電話本体に、データの送受信を目的とする接続端子として複数の接続端子を備えてあることを特徴とする、携帯電話。
【請求項２】
請求項１に記載の携帯電話と、識別子情報を読み取り可能な読み取り装置と、前記識別子情報に紐付く関連情報の読み出しが可能な記憶装置とを少なくとも具備し、相互にデータの送受信が可能に構成される、通信システムであって、
前記携帯電話に、前記読み取り装置から読み取られた識別子情報に基づいて、前記記憶装置より該識別子情報に紐付かれた関連情報を取得する、関連情報取得手段と、
前記関連情報取得情報に基づいて、音声、画像、映像或いはそれらの組み合わせを適宜出力可能な出力手段と、
を少なくとも備えたことを特徴とする、通信システム。
【請求項３】
請求項２に記載の通信システムであって、当該通信システムに更に印刷装置を備え、前記携帯電話に、前記関連情報を紐づけてある識別子を含む書類情報を前記印刷装置に送信可能な、書類情報送信手段を更に備えたことを特徴とする、通信システム。
【請求項４】
請求項１に記載の携帯電話と、印刷装置とを少なくとも含み、相互にデータの送受信が可能に構成される、通信システムであって、
前記携帯電話に、受信したＦＡＸ情報を保存するＦＡＸ情報格納手段と、
前記印刷装置に前記ＦＡＸ情報を送信するＦＡＸ情報送信手段と、
を少なくとも備えたことを特徴とする、通信システム。
【発明の詳細な説明】
【技術分野】
【０００１】
本発明は、携帯電話及びその携帯電話を用いた通信システムに関し、より詳しくは、各種の外部装置を複数接続可能な携帯電話及び、その携帯電話を用いた通信システムに関する。
【背景技術】
【０００２】
半導体の高集積化に伴って、ＰＤＡや、携帯電話、スマートフォンなどに代表される各種携帯端末の高機能化が進んでいる。
一般的な携帯端末には、電話機能や、カメラ機能、インターネットへの接続機能、電子メールの送受信機能等が搭載されているほか、ＰＣ上で作成したドキュメントファイル等の閲覧や編集までをも可能とする端末が存在し、もはやＰＣとと同等の機能を有するまでに至っている。
【０００３】
携帯電話と他のＰＣ間とでデータの送受信を行うには、インターネットなどの既存の通信網を使用するか、或いはＵＳＢ接続端子などを携帯電話に設けて直接ＰＣと接続し、前記携帯電話をＰＣ上の外部ディスクとして認識させることが一般的である。
【０００４】
また、携帯電話に音声や、動画をダウンロードして閲覧したり、携帯端末に備えたカメラで二次元コードを撮影し、当該撮影画像からＷＷＷ上のＵＲＬなどの情報を取り出して、インターネットにアクセスする等の使用方法が一般的である。
【０００５】
また、下記の非特許文献に示すように、相手方の送信宛先を記載し、携帯電話で撮影した画像を専用のメールアドレス宛に送信することで、前記情報をサーバ上で加工し、固定回線を引いてあるＦＡＸに加工後の画像をＦＡＸ送信するサービスなどが行われている。
［非特許文献］
・ケータイＷＡＴＣＨ「カメラ付き携帯がスキャナーやFAXになる新サービス」
（http://k-tai.impress.co.jp/cda/article/news_toppage/32962.html）
【発明の開示】
【発明が解決しようとする課題】
【０００６】
しかし、従来の携帯端末には、以下のような問題点及び求められる機能があった。
【０００７】
（１）携帯電話とＰＣを接続する目的としては、主に画像や電子メール等の携帯電話に備えた記憶装置内のデータのバックアップや入れ替え、スケジュールなどのデータの同期作業に限られており、そのため接続端子は１本で足りるという認識が一般的であった。
【０００８】
（２）携帯電話のカメラで撮影した二次元コードの利用方法としては、前述したように、ＷＷＷ上のＵＲＬの参照や、住所等の個人情報のやりとり等に限られており、その他の用途による二次元コードの利用方法が望まれていた。
【０００９】
（３）携帯電話の普及率が増しているにもかかわらず、携帯電話に直接ＦＡＸを受信することができなかった。
【００１０】
従って、本発明の目的は、携帯電話を制御端末として、各種の外部装置を接続し、多用途の通信システムを構築することのできる携帯電話及びその通信システムを提供することにある。
【課題を解決するための手段】
【００１１】
そこで、上記目的を達成するためになされた本願の第１発明は、携帯電話本体に、データの送受信を目的とする接続端子として複数の接続端子を備えてあることを特徴とする携帯電話を提供するものである。
【００１２】
また、本願の第２発明は、本願の第１発明に記載の携帯電話と、識別子情報を読み取り可能な読み取り装置と、前記識別子情報に紐付く関連情報の読み出しが可能な記憶装置とを少なくとも具備し、相互にデータの送受信が可能に構成される、通信システムであって、前記携帯電話に、前記読み取り装置から読み取られた識別子情報に基づいて、前記記憶装置より該識別子情報に紐付かれた関連情報を取得する、関連情報取得手段と、前記関連情報取得情報に基づいて、音声、画像、映像或いはそれらの組み合わせを適宜出力可能な出力手段と、を少なくとも備えたことを特徴とする、通信システムを提供するものである。
【００１３】
また、本願の第３発明は、本願の第２発明に記載の通信システムであって、当該通信システムに更に印刷装置を備え、前記携帯電話に、前記関連情報を紐づけてある識別子を含む書類情報を前記印刷装置に送信可能な、書類情報送信手段を更に備えたことを特徴とする、通信システムを提供するものである。
【００１４】
また、本願の第４発明は、本願の第１発明に記載の携帯電話と、印刷装置とを少なくとも含み、相互にデータの送受信が可能に構成される、通信システムであって、前記携帯電話に、受信したＦＡＸ情報を保存するＦＡＸ情報格納手段と、前記印刷装置に前記ＦＡＸ情報を送信するＦＡＸ情報送信手段と、を少なくとも備えたことを特徴とする、通信システムを提供するものである。
【発明の効果】
【００１５】
以上のように、本発明によると下記の効果のうち、少なくとも一つを得ることができる。
【００１６】
（１）本願の第１発明によれば、携帯電話を各種外部装置の制御端末として取り扱うことができる。
（２）本願の第２発明によれば、携帯電話に接続された読み取り装置によって識別子情報を読み取り、前記識別子情報に紐付く関連情報が記憶される記憶装置から当該関連情報を読み出し、携帯電話上で再生することができる。
（３）本願の第３発明によれば、前記携帯電話に接続した印刷装置で、当該識別子を含む書類情報を印刷できる。
（４）本願の第４発明によれば、ＦＡＸ送信元の担当者にあっては、携帯電話の電話番号宛に直接ＦＡＸを送信できるため、送信先の担当者が外出していても確実にＦＡＸ送信できるほか、前記担当者にあっても、外出時においてもＦＡＸ受信ができ、必要に応じて前記受信したＦＡＸデータを紙媒体に印刷することができる。
【発明を実施するための最良の形態】
【００１７】
以下、図面を参照しながら本発明の実施形態について説明する。
【実施例１】
【００１８】
図１は、本発明の第１実施例の通信システムを示す機能ブロック図である。
【００１９】
（１）携帯電話１０の外部構成
携帯電話１０とは、一般的な携帯電話や、スマートフォン、ＰＨＳ通信機能が付与されたＰＤＡ等が含まれる。
本発明の携帯電話１０には、データの送受信を目的とする、複数の接続端子を備えてある。
特に、外部装置として挙げられる装置としては、コードリーダやスキャナなどの読み取り装置２０や、ＨＤＤなどの記憶装置３０や、印刷装置４０などがある。
接続端子の種類は、ＵＳＢ端子や、ＩＥＥＥ１３９４端子、ＳＣＳＩ端子、ＲＳ２３２Ｃ端子などが挙げられる。
【００２０】
（２）通信システムの外部構成
本発明に係る通信システムでは、前記説明した携帯電話１０と、読み取り装置２０と、記憶装置３０と、印刷装置４０と、を少なくとも具備して構成される。
【００２１】
（２−１）読み取り装置２０
読み取り装置２０は、二次元コード（ＱＲコード、ＣＰコード等）や、一次元コード（バーコード等）の識別子を撮影し、撮影した画像から前記識別子に埋め込まれた識別子情報を読み取ることのできる装置である。
読み取り装置２０には、市販されている外付けタイプのコードリーダや、スキャナ装置などが挙げられる。
【００２２】
（２−２）記憶装置３０
記憶装置３０は、前記識別子情報をアドレスとして紐付かれた関連情報のデータベースＤＢ１が少なくとも保存されてある。
記憶装置３０には、ハードディスクドライブ（ＨＤＤ）やフラッシュメモリ（ＦＲＡＭ）などの周知の記憶装置が用いられる。
【００２３】
関連情報には、音声データや、画像データ、映像データ或いはそれらの組み合わせや、文書データや、など、情報処理装置で使用可能なファイルデータなどが含まれる。
【００２４】
（３）携帯電話１０の内部構成
本実施例における携帯電話は、以下の各情報処理手段を少なくとも具備する。
【００２５】
（３−１）関連情報取得手段１１
関連情報取得手段１１は、本発明の通信システムにおいて、前記読み取り装置２０によって読み取られた識別子情報に基づいて、前記記憶装置３０より該識別子情報に紐付かれた関連情報を取得する機能を有するプログラムである。
【００２６】
（３−２）出力手段１２
出力手段１２は、前記関連情報取得手段１１によって取得された関連情報を出力する手段であって、関連情報のデータの種類によって、音声、画像、映像或いはそれらの組み合わせを適宜出力する可能なディスプレイ、スピーカ或いはそれらの組み合わせからなる装置群である。
【００２７】
（４）通信システムの使用例
本実施例の通信システムの使用例について図２を参照しながら説明する。
まず、識別子が付された紙媒体などの被読み取り対象に対して、ユーザが読み取り装置２０によって識別子を読み取る（ｓ１００）。
その後、前記識別子から前記記憶装置３０にアクセスするための識別子情報（アドレス情報）を取得する（ｓ１１０）。前記識別子情報の取得は、読み取り装置２０の内部で行ってもよいし、携帯電話１０に備えたその他の制御手段によって行ってもよい。
次に、関連情報取得手段１１によって、前記記憶装置３０から前記アドレスに格納してある関連情報を取得する（ｓ１２０）。
その後、出力手段１２によって、前記取得した関連情報のデータフォーマットに基づき、適宜最適な出力方法でもって、関連情報を再生する（ｓ１３０）。前記関連情報が音声のみである場合には、携帯電話１０に備えてスピーカに該音声を出力し、前記関連情報が映像である場合には、携帯電話１０に備えたディスプレイに該映像を表示するものとする。
【実施例２】
【００２８】
図３は、本発明の第２実施例の通信システムを示す機能ブロック図である。
前記説明した第１実施例の通信システムにおいて、さらに追加された手段について説明する。
【００２９】
（１）通信システムの外部構成
本実施例の通信システムには、前記説明した第１実施例の通信システムにおいて更に印刷装置４０を具備してある。
印刷装置４０は、携帯電話１０から印刷指令と印刷データを受信して、紙などの媒体に該印刷データを印刷する、一般的な印刷機を用いる。
【００３０】
（２）記憶装置３０
記憶装置３０は、前記説明した実施例１の記憶装置における識別子情報に紐づけられた関連情報のデータベースＤＢ１のほか、書類情報のデータベースＤＢ２が少なくとも保存されてある。
【００３１】
前記書類情報には、文章や、図形等からなるメイン情報と、該メイン情報に紐付く、前記関連情報を読み出すためのアドレスが埋め込まれてある識別子が含まれるデータである。
前記書類情報の例には学習教材などがある。
例えば、前記書類情報が外国語を学習するための学習教材である場合には、メイン情報に外国語の文章が記載されており、前記関連情報には、前記メイン情報の単語単位、文章単位の意味や、スペル、発音などが記録されている。
前記書類情報が数学の学習教材である場合には、メイン情報に数式が記載されており、前記関連情報には、前記数式を表すグラフデータが記録されている。
【００３２】
（３）携帯電話１０の内部構成
本実施例の携帯電話１０は、前記説明した第１実施例の各情報処理手段を有するほか、書類情報送信手段を更に具備する。
【００３３】
（３−１）書類情報送信手段１３
書類情報送信手段１３は、前記関連情報を紐づけてある識別子を含む書類情報を印刷指令とともに、前記印刷装置４０に送信する機能を有するプログラムである。
【００３４】
（４）通信システムの使用例
本実施例の通信システムの使用例について図４を参照しながら説明する。
本実施例は、前記説明した第１実施例に用いる被読み取り対象を出力するための使用を想定するものである。
まず、前記携帯電話１０から前記記憶装置３０に記憶された書類情報にアクセスする（ｓ２００）。
次に、前記書類情報手段１３によって前記書類情報を前記記憶装置３０から取得し（ｓ２１０）、あらかじめ接続してある印刷装置４０に、印刷指令とともに該書類情報を送信する（ｓ２２０）。
次に、印刷装置４０は、前記印刷指令によって前記書類情報を紙媒体などに印刷する（ｓ２３０）。該書類情報は、前記説明した第１実施例に記載の通信システムにおいて、識別子を読み取られる被読み取り対象として用いられる。
【実施例３】
【００３５】
図５は、本発明の第３実施例の通信システムを示す機能ブロック図である。
【００３６】
（１）通信システムの外部構成
本実施例の通信システムは、前記説明した携帯電話１０と、印刷装置４０を少なくとも具備して構成される。
【００３７】
（２）携帯電話１０の内部構成
本実施例における携帯電話１０は、以下の各情報処理手段を少なくとも具備する。
【００３８】
（２−１）ＦＡＸ情報格納手段１４
ＦＡＸ情報格納手段１４は前記携帯電話１０に、外部のＦＡＸ６０からＦＡＸ情報を受信・保存する機能を有するプログラムである。
前記ＦＡＸ情報の保存先は、前記携帯電話１０の内部に備えた記憶手段であってもよいし、該携帯電話１０の外部に接続された記憶装置３０であってもよい。
【００３９】
（２−２）ＦＡＸ情報送信手段１５
ＦＡＸ情報送信手段１５は、前記携帯電話１０にすでに印刷装置４０が接続されており、印刷指令の発行準備ができている、いわゆるオンライン時において、前記ＦＡＸ情報格納手段１４によって保存されているＦＡＸ情報を、印刷指令とともに、前記印刷装置４０に送信して、ＦＡＸ情報を印刷する機能を有するプログラムである。
【００４０】
（３）通信システムの使用例
本実施例の通信システムの使用例について図６を参照しながら説明する。
まず、ＦＡＸ送信を行う第３者のＦＡＸから、ネットワーク５０を介して本発明の通信システムを構成する携帯電話１０にＦＡＸの送信コールがなされると、着信待機状態である携帯電話１０のＦＡＸ情報格納手段１４が着信応答する（ｓ３００）。
前記ＦＡＸ情報格納手段１４は、送信されたＦＡＸ情報の受信・保存作業を行う（ｓ３１０）。
次に、前記ＦＡＸ情報格納手段１４は、本発明の通信システムを構成する、印刷装置４０が正常に接続されているかを確認する（ｓ３２０）。印刷装置４０が正常に接続されていない場合には、正常に接続されるまで待機状態とし、前記保存済みのＦＡＸ情報をとどめておく。反対に印刷装置４０が正常に接続されている場合には、前記保存済みのＦＡＸ情報を印刷指令ととともに、印刷装置４０に送信し、印刷を行う（ｓ３３０、ｓ３４０）。送信後のＦＡＸ情報は、適宜ユーザの選択によって保存したままにしておいてもよいし、削除してもよい。
【００４１】
［その他の実施例］
なお、前記の各種外部装置は説明の便宜上、「外部に備えた装置」とあるが、可能であれば携帯電話１０の内部に備えてもよい。
例えば、携帯電話１０本体に内蔵されたカメラなどの撮影手段がある場合には、該撮影手段と、前記識別子から識別子情報を取得するソフトウェアの組み合わせを用いて、前記読み取り装置２０を省略してもよい。
【００４２】
その他、前記携帯電話１０と前記記憶装置３０との接続方法は、ＵＳＢ端子による接続方法に限らず、miniＳＤカードなど、携帯電話本体に差し込んでデータの送受信を行うものも含まれるものとする。
【００４３】
その他、前記携帯電話１０と各種外部装置との接続にＵＳＢ接続端子を用いる場合には、前記携帯電話にＵＳＢ−ＯＴＧ機能を備えてもよく、前記携帯電話１０がＵＳＢホストとして、前記説明した情報処理手段を起動して各種外部装置を起動させてもよい。
【００４４】
また、可能であれば読み取り装置２０本体に、前記説明した携帯電話の各種の情報処理手段を備えてもよい。
この場合、読み取り装置２０のみで本発明を実施することができる。
【００４５】
また、可能であれば携帯電話１０本体に、前記説明した印刷装置４０をあらかじめ内蔵してもよい。
この場合、印刷の大きさが限定されるため、識別子のみをシール体として印刷し、すでにある書類の該当箇所に前記シール体を貼り付けて被読み取り対象である書類を作成してもよい。
【図面の簡単な説明】
【００４６】
【図１】本発明の第１実施例の通信システムを示す説明図。
【図２】本発明の第１実施例の通信システムを実施する際のフローチャート。
【図３】本発明の第２実施例の通信システムを示す説明図。
【図４】本発明の第２実施例の通信システムを実施する際のフローチャート。
【図５】本発明の第３実施例の通信システムを示す説明図。
【図６】本発明の第３実施例の通信システムを実施する際のフローチャート。
【符号の説明】
【００４７】
１０    携帯電話
１１    関連情報取得手段
１２    出力手段
１３    書類情報送信手段
１４    ＦＡＸ情報格納手段
１５    ＦＡＸ情報送信手段
２０    読み取り装置
３０    記憶装置
４０    印刷装置
５０    ネットワーク
６０    ＦＡＸ
ＤＢ１  関連情報データベース
ＤＢ２  書類情報データベース
【図１】
2008219762.tif 000003
【図２】
2008219762.tif 000004
【図３】
2008219762.tif 000005
【図４】
2008219762.tif 000006
【図５】
2008219762.tif 000007
【図６】
2008219762.tif 000008